(57)【要約】【課題】箱体の底面に形成された穴からの水の浸入と、箱体の内部への水の残存を抑えることのできる電気機器収納箱を得ること。【解決手段】本発明は、底面１ａに水抜き用の穴１２が形成された箱体と、箱体の外側から穴１２に差し込まれた栓３と、を備え、栓３は、穴１２から箱体の内側に露出する露出面６と、露出面６の外周に形成されて箱体の外側面であって穴１２の周囲を囲む周囲面１ｂに当接する鍔部９と、露出面６から箱体の内側に向けて突出されて穴１２の縁部に引っ掛かる引っ掛かり部５と、を有し、露出面６は、穴１２の縁部から中心に向うにしたがって、箱体の内側に向けて突出する凸面で形成され、鍔部９には、露出面６との境界から鍔部９の外周に至る溝７が形成される。【選択図】図３
2016122675.tif 000002
【特許請求の範囲】
【請求項１】
底面に水抜き用の穴が形成された箱体と、
前記箱体の外側から前記穴に差し込まれた栓と、を備え、
前記栓は、前記穴から前記箱体の内側に露出する露出面と、前記露出面の外周に形成されて前記箱体の外側面であって前記穴の周囲を囲む周囲面に当接する鍔部と、前記露出面から前記箱体の内側に向けて突出されて前記穴の縁部に引っ掛かる引っ掛かり部と、を有し、
前記露出面は、前記穴の縁部から中心に向うにしたがって、前記箱体の内側に向けて突出する凸面で形成され、
前記鍔部には、前記露出面との境界から前記鍔部の外周に至る溝が形成されることを特徴とする電気機器収納箱。
【請求項２】
前記溝の底面は、前記露出面との境界から外周に向かうにしたがって、前記箱体の底面から離れることを特徴とする請求項１に記載の電気機器収納箱。
【請求項３】
前記穴は、円形形状を呈し、
前記露出面は、球面形状を呈することを特徴とする請求項１または２に記載の電気機器収納箱。
【請求項４】
請求項１から３のいずれか１つに記載の電気機器収納箱と、
前記箱体の内部に収納されて、直流電流を交流電流に変換する電力変換部と、を備えることを特徴とするパワーコンディショナ。
【発明の詳細な説明】
【技術分野】
【０００１】
本発明は、内部に電気機器を収納する電気機器収納箱およびパワーコンディショナに関する。
【背景技術】
【０００２】
太陽光発電システムに用いられるパワーコンディショナでは、直流電流を交流電流に変換する電気機器が電気機器収納箱に収納される。電気機器収納箱には、箱体内部へ浸入した水を外部に排出するために、箱体の底面に水抜き用の穴が形成されている。特許文献１には、水抜き用の穴から箱体の内部への水の浸入を防ぐために、穴に栓が取り付けられた電気機器収納箱が開示されている。特許文献１に開示された栓は、穴を塞ぐ閉塞部を有する。また、閉塞部の周囲には、穴の周囲で箱体の底面に外側から当接する鍔部が形成されている。栓の鍔部には、水を外部に導くための溝が形成されている。溝の部分では、箱体の底面と鍔部との間に隙間が形成されて水が通過することができる。そのため、穴に栓がされて箱体の底面と鍔部とが密着した状態でも、溝を通じて水を外部に排出することができる。
【先行技術文献】
【特許文献】
【０００３】
【特許文献１】特開２０１１−２３８６７６号公報
【発明の概要】
【発明が解決しようとする課題】
【０００４】
しかしながら、特許文献１に開示された電気機器収納箱では、栓の閉塞部が平坦面であり、閉塞部の外周に向けて流れなかった水が残存しやすくなっている。
【０００５】
本発明は、上記に鑑みてなされたものであって、箱体の底面に形成された穴からの水の浸入を防ぎつつ、箱体の内部への水の残存を抑えることのできる電気機器収納箱を得ることを目的とする。
【課題を解決するための手段】
【０００６】
上述した課題を解決し、目的を達成するために、本発明は、底面に水抜き用の穴が形成された箱体と、箱体の外側から穴に差し込まれた栓と、を備え、栓は、穴から箱体の内側に露出する露出面と、露出面の外周に形成されて箱体の外側から穴の周囲面に当接する鍔部と、露出面から箱体の内側に向けて突出されて穴の縁部に引っ掛かる引っ掛かり部と、を有し、露出面は、穴の縁部から中心に向うにしたがって、箱体の内側に向けて突出する凸面で形成され、鍔部には、露出面との境界から鍔部の外周に至る溝が形成されることを特徴とする。
【発明の効果】
【０００７】
本発明にかかる電気機器収納箱によれば、箱体の底面に形成された穴からの水の浸入を防ぎつつ、箱体の内部への水の残存を抑えることができるという効果を奏する。
【図面の簡単な説明】
【０００８】
【図１】本発明の実施の形態１にかかるパワーコンディショナの斜視図であって、蓋を外した状態を示す図
【図２】実施の形態１における栓の斜視図
【図３】実施の形態１において栓が差し込まれた穴部分を拡大した部分拡大断面図
【図４】実施の形態１における栓の変形例１を示す斜視図
【図５】実施の形態１における栓の変形例２を示す斜視図
【図６】実施の形態１における栓の変形例３を示す斜視図
【発明を実施するための形態】
【０００９】
以下に、本発明の実施の形態にかかる電気機器収納箱およびパワーコンディショナを図面に基づいて詳細に説明する。なお、この実施の形態によりこの発明が限定されるものではない。
【００１０】
実施の形態１．
図１は、本発明の実施の形態１にかかるパワーコンディショナの斜視図であって、蓋を外した状態を示す図である。パワーコンディショナは、箱体１と蓋２を有する電気機器収納箱１０と、電気機器収納箱１０の内部に収納された電力変換部１１を備える。箱体１は、前面が開口され、蓋２は箱体１の開口を塞ぐ。蓋２は、図示しないネジによって箱体１に固定される。電力変換部１１は、図示しない太陽電池モジュールで生成された直流電流を交流電流に変換する。電力変換部１１は電気機器である。
【００１１】
電気機器の誤作動および故障を防ぐ観点から、電気機器収納箱１０の内部に水が存在することは好ましくない。そこで、箱体１の底面１ａには、電気機器収納箱１０の内部に浸入した水を排出するために水抜き用の穴１２が形成されている。穴１２は、円形形状を呈する。また、電気機器収納箱１０の内部への異物の侵入を防ぐために、穴１２には、箱体１の外側から栓３が差し込まれている。図２は、実施の形態１における栓３の斜視図である。図３は、実施の形態１において栓３が差し込まれた穴１２部分を拡大した部分拡大断面図である。
【００１２】
栓３には、穴１２に差し込まれた状態で、穴１２から箱体１の内側に露出する露出面６が設けられる。露出面６は、穴１２を閉塞する閉塞部である。栓３には、露出面６の外周に形成されて、箱体１の底面１ａの外側面であって、穴１２の周囲を囲む周囲面１ｂに当接する鍔部９が設けられる。栓３には、露出面６から箱体１の内側に向けて突出された引っ掛かり部５が設けられる。引っ掛かり部５は、底面１ａの内側面から穴１２の縁部に引っ掛かる。引っ掛かり部５は、複数設けられており、穴１２の縁部に沿うように並べて形成されている。引っ掛かり部５同士の間には、隙間が設けられる。引っ掛かり部５が弾性変形することで、栓３を穴１２に差し込むことが可能となる。栓３を穴１２に差し込んだ後は、引っ掛かり部５が穴１２の縁部に引っ掛かることで、栓３の抜け落ちが防がれる。引っ掛かり部５と露出面６との境界部分には、補強リブ１３が形成されている。補強リブ１３を形成することで、引っ掛かり部５が弾性変形しにくくなり、栓３の抜け落ちがより確実に防がれる。
【００１３】
露出面６は、穴１２の縁部から中心に向かうにしたがって、箱体１の内側に向けて突出する凸面で形成される。露出面６が形成する凸面は、球面形状となっている。これは、露出面６の全体が、鍔部９との境界部分に向かうにしたがって低くなる傾斜を有していると換言することができる。
【００１４】
鍔部９には、露出面６との境界から鍔部９の外周に至る溝７が形成される。溝７は、露出面６との境界部分において引っ掛かり部５同士の隙間に位置する。溝７の底面７ａは、鍔部９の外周に向かうにしたがって箱体１の底面１ａから離れる傾斜面となっている。溝７部分では、箱体１の底面１ａと鍔部９との間に隙間が形成される。また、溝７の底面７ａは、露出面６よりも低い位置に形成される。
【００１５】
以上説明した電気機器収納箱１０によれば、箱体１内の水は、底面１ａに形成された穴１２から栓３の露出面６上に落下する。露出面６上に落下した水は、露出面６の傾斜に誘導されて鍔部９との境界に流れる。露出面６と鍔部９との境界に流れた水は、鍔部９の外周に向けて形成された溝７上を流れて、箱体１の外部に排出される。露出面６の全体が凸面で形成されて鍔部９との境界に向けた傾斜を有するため、露出面６のいずれの場所であっても、落下した水が鍔部９との境界に流れやすくなっている。そのため、露出面６上に水が残存しにくくなっている。また、引っ掛かり部５の隙間から溝７が伸びているので、露出面６から溝７への水の流れが阻害されにくい。したがって、箱体１の内部に水が残存しにくくなっている。
【００１６】
また、露出面６によって穴１２が塞がれることで、穴１２を通して外部から箱体１の内部に水が浸入しにくくなっている。また、箱体１の内側に向けて突出する露出面６が障害となって、異物および水が箱体１の内部に溝７を通して浸入しにくくなっている。
【００１７】
このように、本実施の形態１における電気機器収納箱１０では、栓３によって箱体１の内部への異物および水の浸入を防いで内部の電気機器の保護を図りつつ、何らかの理由で箱体１内に浸入した水については、栓３が差し込まれた穴１２からの円滑な排出を図ることができる。
【００１８】
なお、露出面６が形成する凸面の形状は、球面形状に限られず、円錐面であってもよい。また、穴１２の形状は円形に限られない。穴１２の形状が三角形形状であれば、露出面６が形成する凸面の形状を三角錐面とすればよい。穴１２の形状が四角形形状であれば、露出面６を四角錐面とすればよい。また、電気機器収納箱１０に収納される電気機器は電力変換部に限られない。
【００１９】
図４は、実施の形態１における栓３の変形例１を示す斜視図である。図４に示すように、引っ掛かり部５同士のすべての隙間から延びるように溝７を形成して、水の排出機能の向上を図ってもよい。
【００２０】
図５は、実施の形態１における栓３の変形例２を示す斜視図である。図５に示すように、引っ掛かり部５と露出面６との境界部分に補強リブを形成せずに、露出面６の外周部分での水の流れの円滑化を図って、水の排出機能の向上を図ってもよい。
【００２１】
図６は、実施の形態１における栓３の変形例３を示す斜視図である。図６に示すように、引っ掛かり部５と露出面６との境界部分に補強リブを形成せず、さらに引っ掛かり部５同士のすべての隙間から延びるように溝７を形成して、水の排出機能の向上を図ってもよい。
【００２２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２３】
１  箱体、１ａ  底面、１ｂ  周囲面、２  蓋、３  栓、５  引っ掛かり部、６  露出面、７  溝、９  鍔部、１０  電気機器収納箱、１１  電力変換部、１２  穴。
【図１】
2016122675.tif 000003
【図２】
2016122675.tif 000004
【図３】
2016122675.tif 000005
【図４】
2016122675.tif 000006
【図５】
2016122675.tif 000007
【図６】
2016122675.tif 000008